(57)【特許請求の範囲】
【請求項１】
写真フィルムを走査スキャンするための読取ポイントと、前記読取ポイントを含む搬送レーン上で写真フィルムを搬送するためのフィルム搬送機構とを備え、
前記搬送レーンの途中には写真フィルムを巻き取って収納空間に収納する巻取り部が配置され、前記搬送レーンの端部には前記巻取り部を通過した写真フィルムを前記搬送レーン外に送り出す排出口が配置されており、さらに
前記巻取り部での巻取り不良によって形成されるループ状の写真フィルム部位を前記収納空間の外部に開放する開放手段が設けられており、
前記フィルム搬送機構によって搬送される写真フィルムを前記排出口から排出する第１モードと、写真フィルムを前記巻取り部にて巻き取る第２モードとのいずれかで選択的に操作可能に構成されているフィルムキャリアであって、
前記第１モードにおいて前記排出口から送り出される写真フィルムを検出可能なフィルムセンサが設けてあり、前記フィルムセンサは、前記第２モードにおいて前記開放手段から開放されるループ状の前記写真フィルム部位を検出可能に構成されているフィルムキャリア。
【請求項２】
前記搬送レーンを備えた本体の上面部位を閉鎖可能なカバー部材が設けられており、前記フィルムセンサは、前記本体と前記カバー部材とに分割配置された光センサ対からなる請求項１に記載のフィルムキャリア。
【請求項３】
前記搬送レーンを備えた本体の上面部位を閉鎖可能なカバー部材が設けられており、前記フィルムセンサは、前記本体上に写真フィルムの搬送方向に沿って離間配置された光センサ対と、前記光センサ対の一方から出射される光を他方に反射すべく前記カバー部材に配置された反射手段とからなる請求項１に記載のフィルムキャリア。
【発明の詳細な説明】
【技術分野】
【０００１】
本発明は、写真フィルムを走査スキャンする際に用いるフィルムキャリアに関し、より具体的には、写真フィルムを走査スキャンするための読取ポイントと、前記読取ポイントを含む搬送レーン上で写真フィルムを搬送するためのフィルム搬送機構とを備え、前記搬送レーンの途中には写真フィルムを巻き取って収納空間に収納する巻取り部が配置され、前記搬送レーンの端部には前記巻取り部を通過した写真フィルムを前記搬送レーン外に送り出す排出口が設けられており、さらに前記巻取り部での巻取り不良によって形成されるループ状の写真フィルム部位を前記収納空間の外部に開放する開放手段が設けられており、前記フィルム搬送機構によって搬送される写真フィルムを前記排出口から排出する第１モードと、写真フィルムを前記巻取り部にて巻き取る第２モードとのいずれかで選択的に操作可能に構成されているフィルムキャリアに関する。
【背景技術】
【０００２】
この種のフィルムキャリアとしては、本発明に関連する先行技術文献情報として下記に示す特許文献１がある。この特許文献１に記されたフィルムキャリアでは、巻取り部と排出口とを備えているので、巻取り部を素通りさせて排出口から写真フィルムの先端を排出しながら最初から高解像度の画像読取りを行うワンパスモード（第１モードの一例）での走査スキャンができるが、他の選択肢として、読取ポイントよりも下流側に位置する巻取り部で写真フィルムを巻き取りながらプレスキャンとして低解像度の画像読取りを行い、次に、巻取り部から引き出しながら本スキャンとして高解像度の画像読取りを行うツーパスモード（第２モードの一例）による走査スキャンをも可能とした構成である。そして、巻取り部に開放手段が設けられているので、巻取り不良によってループ状の写真フィルム部位が形成されてしまう場合も、ループ状の部位が収納空間内に閉じ込められることなく外部に開放され、写真フィルムが損傷を受け難い。
【０００３】
【特許文献１】特開２００４−３７６９３号公報（段落番号０００８、図３）
【発明の開示】
【発明が解決しようとする課題】
【０００４】
しかし、特許文献１に記されたフィルムキャリアに設けられた開放手段は、巻取り部の上方部を閉鎖する開閉カバーを、ループ状となった写真フィルム部位から発生する押付け力によって開放する機構によって実現しているので、第２モードにおいてオペレータは開閉カバーが開き始めるまでは巻き取り不良の発生に気付き難く、そのため、外部に開放された写真フィルムの部位に浮遊塵埃などが付着し易いという問題があった。
【０００５】
したがって、本発明の目的は、上に例示した従来技術によるフィルムキャリアの持つ前述した欠点に鑑み、オペレータが第２モードにおける巻き取り不良の発生を迅速に認知可能で、そのため写真フィルムに浮遊塵埃などが付着し難いフィルムキャリアを提供することにある。
【課題を解決するための手段】
【０００６】
本発明の第１の特徴構成は、写真フィルムを走査スキャンするための読取ポイントと、前記読取ポイントを含む搬送レーン上で写真フィルムを搬送するためのフィルム搬送機構とを備え、
前記搬送レーンの途中には写真フィルムを巻き取って収納空間に収納する巻取り部が配置され、前記搬送レーンの端部には前記巻取り部を通過した写真フィルムを前記搬送レーン外に送り出す排出口が設けられており、さらに
前記巻取り部での巻取り不良によって形成されるループ状の写真フィルム部位を前記収納空間の外部に開放する開放手段が設けられており、
写真フィルムを前記排出口から排出しながら走査スキャンする第１モードと、写真フィルムを前記巻取り部にて巻き取りながら走査スキャンする第２モードとのいずれかで選択的にスキャニング可能に構成されているフィルムキャリアであって、
前記第１モードにおいて前記排出口から送り出される写真フィルムを検出可能なフィルムセンサが設けてあり、前記フィルムセンサは、前記第２モードにおいて前記開放手段から開放されるループ状の前記写真フィルム部位を検出可能に構成されている点にある。
【０００７】
本発明の第１の特徴構成によるフィルムキャリアでは、第１モードにおいて排出される写真フィルムを検出するためのフィルムセンサが、第２モードにおいては、巻き取り不良を早急に検出して、モニタ或いはブザーを通じてオペレータに警告することができるので、オペレータは巻き取り不良に対する迅速な対処が可能となり、しかも、巻取り不良によってループ状の写真フィルム部位が形成されたことを、ループ状の写真フィルム部位が押開く開閉カバーの動きや開閉カバーから外部に出て来た写真フィルム部位によってオペレータに知らせる必要がないので、外部に開放された写真フィルムの部位に浮遊塵埃などが付着する等の問題が生じ難い。勿論、同じフィルムセンサを第１モードにおいては、排出口から送り出される写真フィルムの検出手段として使用可能なので、読取ポイントに向けて次の写真フィルムを挿入可能なタイミングを迅速に知ることができ、処理能率の高さも確保できる。また、このように単一のセンサが、第１モードにおけるフィルムセンサと、第２モードにおける巻き取り不良検出センサとを兼ねているので、フィルムキャリアに搭載するセンサの数を減らすことが可能となる。
【０００８】
本発明の第２の特徴構成は、前記搬送レーンを備えた本体と、前記本体の上面部位を閉鎖可能なカバー部材とが設けられており、前記フィルムセンサは、前記本体と前記カバー部材とに分割配置された光センサ対からなる点にある。
【０００９】
本構成であれば、単一の検出センサに、第１モードにおけるフィルムセンサと、第２モードにおける巻き取り不良検出センサとを兼ねさせる構成を合理的に且つ簡単に実現できる。しかも、搬送レーンを開放すべくカバー部材を開けるだけで、光センサ対を構成する発光部と受光部とが互いに分離され、各部へ容易にアクセス可能となるので、光センサ対の点検やメンテナンスが容易にできる。
【００１０】
本発明の第３の特徴構成は、前記搬送レーンを備えた本体の上面部位を閉鎖可能なカバー部材が設けられており、前記フィルムセンサは、前記本体上に写真フィルムの搬送方向に沿って離間配置された光センサ対と、前記光センサ対の一方から出射される光を他方に反射すべく前記カバー部材に配置された光反射手段とからなる点にある。
【００１１】
本構成であれば、第２の特徴構成と同様に、単一の検出センサに、第１モードにおけるフィルムセンサと、第２モードにおける巻き取り不良検出センサとを兼ねさせる構成を合理的に実現できる。しかも、カバー部材にはミラーなどの単なる光反射手段を設けるだけで良く、本体にヒンジ等で連結されたカバー部材に、発光・受光素子と電気的に接続するための配線を設けずに済む。また、このように構成すれば、光ビームの通過位置をより自由に設定可能となり、例えば図１７に示す例のように、発光素子から反射手段に向かう光ビーム又は反射手段から受光素子に向かう光ビームの通過位置を、フィルムの排出方向に関してより上流側に配置できるので、第２モードにおける巻き取り不良を早期に検出できる構成にできる。
【発明を実施するための最良の形態】
【００１２】
以下に本発明による最良の実施形態について図面を参照しながら説明する。
図１と図２に、本発明の一実施形態としてのフィルムキャリア９、及び、フィルムキャリア９を用いて写真フィルムから画像データを読み取り可能なスキャナ装置１の外観を示す。
【００１３】
（スキャナ装置とその構成）
スキャナ装置１は、現像済みの写真フィルムＦ（ネガフィルムまたはポジフィルム）に形成されている画像を、写真フィルムの各画像駒を透過する透過光をＣＣＤなどの受光素子で受光し、光電変換することによってデジタル画像データに変換する。得られたデジタル画像データは、一般に、スキャナ装置１に接続されたデジタルプリント装置（不図示）乃至はコンピュータ（不図示）の記憶部などに一旦格納され、任意のタイミングで出力することができる。出力方式としては、前記デジタルプリント装置などによる銀塩式の写真プリントへの出力の他に、ＣＤなど各種記憶媒体への保存という形態の出力が可能となる。
【００１４】
図１に示すように、スキャナ装置１は、スキャナ本体２と、スキャナ本体２の上面付近などに着脱自在に設けられたフィルムキャリア９とで構成されている。ここでは、フィルムの外形の幅が約３５ｍｍの１３５フィルムＦ１と、幅が２４ｍｍでＡＰＳフィルムとも呼ばれる２４０フィルムＦ２との２種類のフィルムに対応した兼用型のフィルムキャリア９について解説する。また、ここでは、１３５フィルムＦ１としては、６駒程度以下の画像駒を備えた短いピースフィルムの状態の写真フィルムを、２４０フィルムＦ２としては、専用のカートリッジＦＣ内に引き出し可能に収納されている２４０フィルムＦ２を処理するものとして説明する。
【００１５】
（スキャナ本体の構成）
スキャナ本体２の内部にはハロゲンランプなどの光源５が配置されており、スキャナ本体２の上面には、光源５から発された光ビームを、フィルムキャリア９内に支持された写真フィルムＦを透過する下向きの光ビームに変換する導光アーム６が設けられている。
スキャナ本体２の内部には、さらに、写真フィルムＦの画像駒を透過した透過光を受光し、デジタル画像データに光電変換するためのライン状のＣＣＤ８、幾つかのフィルム幅規格から選択される任意の幅を備えた写真フィルムＦから届けられる光ビームの幅をＣＣＤ８の幅に適合させ、同時に、前記透過光が形成するアナログ画像をＣＣＤ８の入力面に合焦させるズームレンズ７などが配置されている。ライン状のＣＣＤ８は、スキャニングの主走査方向と一致する図１の矢印Ａと平行に延びている。
【００１６】
（フィルムキャリアの構成）
図２と図３に示すように、フィルムキャリア９は、主に合成樹脂などで形成された筐体状のフィルムキャリア本体１０を有する。フィルムキャリア本体１０は、スキャナ本体２の上面に設けられた位置決めレールを受け入れる係合溝（不図示）を下面に備えた下側本体１０Ｌと、下側本体１０Ｌの上面を覆う上側本体１０Ｕとからなる。フィルムキャリア本体１０の右辺には、オペレータが装入する１３５フィルムＦ１を受け入れる装入口１０ａが設けられており、左辺には必要に応じて１３５フィルムＦ１を左向きに排出するための排出口１０ｂが設けられている。
【００１７】
図２に示すように、上側本体１０Ｕは、オペレータから見て遠い側の第１部位１０Ｆと、オペレータから見て手前側の第２部位１０Ｇとからなる。第１部位１０Ｆは下側本体１０Ｌにネジ止めされているが、第２部位１０Ｇ（カバー部材の一例）は、下側本体１０Ｌの上面を閉じた閉鎖姿勢（図２の状態）と、下側本体１０Ｌの上面が開放されて、後述する搬送レーンなどにアクセス可能な開放姿勢（不図示）との間で、水平軸芯周りで揺動可能に設けられている。第２部位１０Ｇと下側本体１０Ｌの間には、第２部位１０Ｇを閉鎖姿勢で保持するロック機構（不図示）が設けられている。フィルムキャリア９は閉鎖姿勢でスキャナ本体２の導光アーム６の下に設置可能となる。
【００１８】
上側本体１０Ｕには、導光アーム６の先端から下向きに延びるスキャニング用の光ビームを受け入れる上側開口部１１Ｕが形成されている。同様に、下側本体１０Ｌには、写真フィルムＦの画像駒を透過した透過光をスキャナ本体２の内部のＣＣＤ８に導く下側開口部（不図示）が形成されている。上側開口部１１Ｕと下側開口部の光軸方向に延びた中心軸は、ＣＣＤ８による読取ポイントＳＰと略一致する。装入口１０ａから受け入れられた１３５フィルムＦ１は（２４０フィルムＦ２も同様）、装入口１０ａと排出口１０ｂを結ぶ直線状の搬送軸芯Ｘｍに沿って、すなわち、矢印Ａと直交する副走査方向に搬送されながら読取ポイントＳＰでスキャニングされる。
【００１９】
また、図３と図６に示すように、フィルムキャリア本体１０内には、１３５フィルムＦ１用の第１搬送レーンＦＬ１と２４０フィルムＦ２用の第２搬送レーンＦＬ２とを同時に備えたデュアルレーンユニット３０が設けられている。第１搬送レーンＦＬ１と第２搬送レーンＦＬ２の各搬送方向の軸芯Ｘ１，Ｘ２上には、それぞれ、導光アーム６の先端から送られる光ビームを各写真フィルムに照射するための第１スリットＳＬ１と第２スリットＳＬ２が設けられている。
【００２０】
図６（イ）と図６（ロ）とに示すように、デュアルレーンユニット３０は、下側本体１０Ｌの床面に形成された一対のレール（不図示）上を主走査方向に沿って摺動自在に支持されており、１３５フィルムＦ１用の第１スリットＳＬ１が読取ポイントＳＰと一致する第１位置（図６（イ）の状態）と、２４０フィルムＦ２用の第２スリットＳＬ２が読取ポイントＳＰと一致する第２位置（図６（ロ）の状態）とのいずれか一方の位置で選択的にロックすることができる。デュアルレーンユニット３０の位置の切り換え、及び、仮止めは、フィルムキャリア９外に突出した第１操作ハンドルＨ１を介して、オペレータの手動操作によって行われる。
【００２１】
（フィルム搬送機構）
フィルムキャリア９には、写真フィルムＦを副走査方向に搬送するフィルム搬送機構２０が搭載されている。図５に示すように、フィルム搬送機構２０は、デュアルレーンユニット３０の第１搬送レーンＦＬ１上に副走査方向に沿って配置された４組の搬送ローラ対Ｒｐ１ａ，Ｒｐ１ｂ，Ｒｐ１ｃ，Ｒｐ１ｄと、第２搬送レーンＦＬ２上に副走査方向に沿って配置された３組の搬送ローラ対Ｒｐ２ａ，Ｒｐ２ｂ，Ｒｐ２ｃと、やはりデュアルレーンユニット３０上に固定されたモータＭ１と、モータＭ１の回転駆動力をこれらの各搬送ローラ対に伝達するために適宜回転自在に配置されたタイミングギヤとタイミングベルトとを有する。モータＭ１を正転させると、写真フィルムＦは第１搬送レーンＦＬ１或いは第２搬送レーンＦＬ２上を図４の左向きに搬送され、モータＭ１を逆転させると、第１搬送レーンＦＬ１或いは第２搬送レーンＦＬ２上を右向きに搬送される。
【００２２】
図３に示すように、デュアルレーンユニット３０は、フィルムキャリア９の下側本体１０Ｌに前述の一対のレールを介して支持されたレーンユニット本体３０ａと、レーンユニット本体３０ａの上面に揺動自在に支持された第１と第２揺動プレート３１ａ，３１ｂとを有する。
レーンユニット本体３０ａには、第１と第２搬送レーンＦＬ１，ＦＬ２の下面が形成されており、第１と第２揺動プレート３１ａ，３１ｂには、第１と第２搬送レーンＦＬ１，ＦＬ２の上面が形成されている。そして、第１と第２揺動プレート３１ａ，３１ｂを、上下の搬送ローラどうしが圧着される閉鎖状態でレーンユニット本体３０ａに対してロックするロック機構（不図示）が設けられている。
【００２３】
（フィルム搬送機構の巻取りユニットについて）
さらに、図５に示すように、フィルム搬送機構２０は、排出口１０ｂの直前に配置された固定排出ローラ対Ｒｐ１ｅ、および、排出ローラ対Ｒｐ１ｅとデュアルレーンユニット３０の下流側端部の間に配置された巻取りユニット４０（巻取り部の一例）を含む。
巻取りユニット４０は、排出口１０ｂから１３５フィルムＦ１をフィルムキャリア９外に排出させたくない場合に、その先端から巻き取って一時的にフィルムキャリア９内に保管する。尚、２４０フィルムＦ２については、原則的に排出口１０ｂから排出させることはなく、必ず先端側から巻取りユニット４０に巻き取りながらスキャン操作される。
【００２４】
他方、固定排出ローラ対Ｒ１ｅ，Ｒ１ｅは、デュアルレーンユニット３０側から供給されてくる１３５フィルムＦ１を、右側の装入口１０ａ側に戻すことなく、巻取りユニット４０を素通りさせて左側の排出口１０ｂからフィルムキャリア９外に排出するため、或いは、排出させながらスキャンするための補助機構として設けられている。
そのために、巻取りユニット４０は、デュアルレーンユニット３０側から供給されてくる写真フィルムＦを巻取りユニット４０のドラム４１の周面上に巻き取る巻取りモード（図１２（イ）の状態）と、供給されてくる写真フィルムＦを巻き取ることなく、そのまま素通りさせ、下流の排出ローラ対Ｒｐ１ｅに向けて供給可能な通過モード（図１２（ロ）の状態）との間で切り換え可能に設けられている。
【００２５】
尚、巻取りユニット４０と固定排出ローラ対Ｒ１ｅ，Ｒ１ｅとは、移動可能なデュアルレーンユニット３０上ではなく、フィルムキャリア９内の一定の位置に固定設置されているが、デュアルレーンユニット３０上の各ローラ対と同様にモータＭ１からの回転駆動力によって駆動される。すなわち、図５に示すように、デュアルレーンユニット３０の下流側端部の手前側の下面には、モータＭ１の回転駆動力をデュアルレーンユニット３０外に分配するための出力ギヤＤＧが設けられており、他方、下側本体１０Ｌには、出力ギヤＤＧと噛合する入力ギヤＬＧが回転自在に支持されている。入力ギヤＬＧは、デュアルレーンユニット３０の第１と第２位置の間での移動に関わらず常に出力ギヤＤＧと噛合状態を保持可能なように、主走査方向に長い幅を備えた形状を有する。
【００２６】
（２つのスキャニング操作方法について）
フィルムキャリア９では、ツーパス方式とワンパス方式という２種類のスキャン操作が可能となる。
１３５フィルムＦ１をツーパス方式でスキャン操作する例を図１４（イ）、（ロ）に、２４０フィルムＦ２をツーパス方式でスキャン操作する例を図１５（イ）、（ロ）に示す。ツーパス方式では、先ず、第１工程として、装入口１０ａから受け入れられた写真フィルムＦを左向きに高速で搬送し、読取ポイントＳＰを越えた写真フィルムＦの部位を巻取りユニット４０に巻き取りながら、指定された画像駒のプレスキャンを行う（図１４（イ）並びに図１５（イ）の工程）。次に、第２工程として、巻き取られた写真フィルムＦの部位を巻取りユニット４０から引き出しながら、写真フィルムＦを今度は右向きに低速で搬送しながら搬送しながら本スキャンを行う（図１４（ロ）並びに図１５（ロ）の工程）。
【００２７】
ツーパス方式におけるプレスキャンでは、スキャニングを必要とする画像駒の基準位置（言い換えれば画像駒どうしの間に位置する素抜け部の位置など）を特定するための情報など補助的な情報の入手を行うと共に、前記デジタルプリント装置などのモニタスクリーンに表示された画像に基づいて色補正操作等のプレジャッジを実施するために最小限必要な低解像度の画像データを、前記画像駒からＣＣＤ８によって前記記憶部の所定領域に取込む。
【００２８】
ツーパス方式における本スキャンでは、前記プレスキャンで得られた画像駒の位置情報などに基づいて、前記デジタルプリント装置によるプリント出力などに必要な高解像度の画像データを前記画像駒からＣＣＤ８によって前記記憶部の別の所定領域に取込む。次に、前記記憶部に取込まれた高解像度の画像データに前記プレジャッジで得られた色補正条件を反映したプリントデータが作成され、例えば、前記記憶部の前記所定領域に上書きされ、適宜プリント等に出力される。
【００２９】
次に、１３５フィルムＦ１をワンパス方式でスキャン操作する例を図１４（ハ）に示す。ワンパス方式では、装入口１０ａから受け入れられた写真フィルムＦを左向きに低速で搬送しながら、指定された画像駒の一度限りのスキャンを、プレスキャンと本スキャンを兼ねた高解像度のスキャニングとして行う。
図１４（ハ）に示すように、１３５フィルムＦ１をワンパス方式でスキャン操作する場合には、デュアルレーンユニット３０から下流側に供給される写真フィルムＦの部位を巻取りユニット４０に巻き取る操作は行われず、巻取りユニット４０を通過モードに設定しておくことで、１３５フィルムＦ１に巻取りユニット４０の巻取りドラム４１上を素通りさせ、下流の固定排出ローラ対Ｒ１ｅ，Ｒ１ｅの搬送力によって排出口１０ｂからフィルムキャリア９外に排出しながらスキャン操作する。これによって、スキャンを完了した１３５フィルムＦ１を右向きに戻す必要がなくなることから、オペレータは直ぐに次の１３５フィルムＦ１を装入口１０ａから装入することができ、スキャニングの処理効率が大きく向上する。尚、前述したように、２４０フィルムＦ２に対しては一般にワンパス方式のスキャニングは行わない。
【００３０】
（排出ローラ対の構成）
図１２と図１３に示すように、固定排出ローラ対Ｒ１ｅ，Ｒ１ｅは、レーンユニット本体３０ａに支持された下側の搬送ローラＲ１ｅと、第３揺動プレート３１ｃに支持された上側の搬送ローラＲ１ｅとからなる。下側の搬送ローラＲ１ｅは、タイミングギヤとタイミングベルトを介してモータＭ１によって直接回転駆動される駆動ローラであるが、上側の搬送ローラＲ１ｅは、下側の搬送ローラＲ１ｅとの互いの周面の間で発生する摩擦に基づいて従動的に駆動される従動ローラである。尚、この駆動ローラと従動ローラとの関係は前述の各搬送ローラ対Ｒｐ１ａ，Ｒｐ１ｂ，Ｒｐ１ｃ，Ｒｐ１ｄ，Ｒｐ２ａ，Ｒｐ２ｂ，Ｒｐ２ｃについても同様である。
【００３１】
図４に示すように、下側の搬送ローラＲ１ｅと直結したタイミングプーリの軸芯の上には、ワンウェイクラッチ機構３３が介装されている。この構成の結果、モータＭ１が正転駆動されると、下側の搬送ローラＲ１ｅは、レーンユニット本体３０ａの下側の各搬送ローラＲ１ａ，Ｒ１ｂ，Ｒ１ｃ，Ｒ１ｄ，Ｒ２ａ，Ｒ２ｂ，Ｒ２ｃと同一の周速度で回転駆動されて、１３５フィルムＦ１を下流側に搬送するが（図１３（イ）の状態）、モータＭ１が逆転駆動された場合には、ワンウェイクラッチ３３の作用で、モータＭ１の駆動力は実質的に排出ローラ対Ｒ１ｅ，Ｒ１ｅに伝えられず（図１３（ロ）の状態）、下側の搬送ローラＲ１ｅは、僅かな荷重抵抗によって回転不能な状態に保持される。
【００３２】
このワンウェイクラッチ３３を用いた搬送ローラＲ１ｅの構成は、もしもワンパス方式によるスキャン操作を完了した１３５フィルムＦ１が、排出ローラ対Ｒ１ｅ，Ｒ１ｅによって排出口１０ｂからフィルムキャリア９外に排出された後に、ツーパス方式によるスキャン操作を完了した１３５フィルムＦ１、または、ツーパス方式乃至はワンパス方式によるスキャン操作を完了した２４０フィルムＦ２が、モータＭ１の逆転によって右向きに戻された場合に、先の一旦排出された１３５フィルムＦ１が排出ローラ対Ｒ１ｅ，Ｒ１ｅによって再びフィルムキャリア９内に引き込まれ、他のフィルムと衝突して巻取りユニット４０などでジャミングを起こす、と言った事態を防止するためである。
【００３３】
（巻取りユニットの詳細な構造）
図５及び図１０に示すように、巻取りユニット４０は、主に、巻取りドラム４１と、モータＭ１の正転に基づく回転力を巻取りドラム４１に伝えて巻取りドラム４１をフィルム巻取り方向に回転駆動するための入力部４１Ｂとを有する。また、図９及び図１１に示すように、巻取りユニット４０は、巻取りドラム４１の上流側上方に位置する軸芯Ｘ３周りで揺動自在に支持された第１ガイドアーム４２（上部ガイドの一例）と、巻取りドラム４１の下流側下方に位置する軸芯Ｘ４周りで揺動自在に支持された第２ガイドアーム４３と、巻取りドラム４１の上流側下方に位置する軸芯Ｘ５周りで揺動自在に支持された保持アーム４４を有する。また、図１０に示すように、巻取りユニット４０は、第１ガイドアーム４２と第２ガイドアーム４３とを揺動操作するために、第１ガイドアーム４２と共通の軸芯Ｘ３周りで揺動可能に支持された操作アーム５１と、操作アーム５１を揺動操作するソレノイド４９とを有するアクチュエータ機構５０を含む。
【００３４】
尚、巻取りドラム４１による写真フィルムＦの巻き取り速度は、巻取りドラム４１上への写真フィルムＦの巻き取りが進行して写真フィルムＦの最外周面の径が増大するに従って高まっていくので、モータＭ１の正転に応じた巻取りドラム４１の回転速度は、巻き取り開始時期に写真フィルムＦの弛みが生じないように、巻取りドラム４１上への写真フィルムＦの巻き取り操作が開始される前の状態を基準にして設定されている。
そして、図５に示すように、写真フィルムＦの巻き取りが進行した時に、逆に写真フィルムＦどうしが巻取りドラム４１の回転力が与える強い力で互いに押し付けられて損傷することのないように、入力部４１Ｂと巻取りドラム４１の間にはフリクションクラッチ４１ｃが介装されている。
【００３５】
また、巻取りドラム４１に巻き取られた写真フィルムＦを、モータＭ１の逆転操作によって引き出しながら高解像度のスキャニングを行う際に、巻取りドラム４１を固定しようとするフリクションクラッチ４１ｃの作用が、写真フィルムＦに損傷を与えたり、写真フィルムＦの搬送速度に微妙な影響を与えたりすることのないように、巻取りドラム４１とフリクションクラッチ４１ｃの間には、写真フィルムＦの引き出し操作に応じて巻取りドラム４１を遊転させるためのワンウェイクラッチ４１ｄが介装されている。
【００３６】
（操作アームの構造）
アクチュエータ機構５０の操作アーム５１は、図１２（イ）に示す水平姿勢と、図１２（ロ）に示すリフト姿勢との間で、軸芯Ｘ３周りで揺動可能に支持されている。８に示すように、操作アーム５１は、ソレノイド４９からの上向きの操作力を入力するための被操作部５１ａと、第１ガイドアーム４２に操作力を伝える第１操作部５１ｂと、第２ガイドアーム４３に操作力を伝える第２操作部５１ｃとを有する。
【００３７】
（第１ガイドアームの構造）
図８、図９および図１２に示すように、第１ガイドアーム４２（上部ガイド）の先端には、一対の遊転ローラ４２ａ，４２ａが支持されている。また、第１ガイドアーム４２の下面には、軸芯Ｘ３付近から遊転ローラ４２ａ，４２ａ付近まで延びた案内面４２ｂが形成されている。案内面４２ｂは、下向き凹面状の断面形状を有し、写真フィルムＦの先端をスムースに案内する働きを有する。また、第１ガイドアーム４２の遊転ローラ４２ａ，４２ａよりも上方の位置からは、被操作軸４２ｃが横向きに延びている。
【００３８】
第１ガイドアーム４２は、遊転ローラ４２ａ，４２が巻取りドラム４１の周面に近接し、写真フィルムを巻取りドラム４１の周面に押付ける第１姿勢（図１２（イ）の状態）と、遊転ローラ４２ａ，４２ａが巻取りドラム４１の周面から離間した第２姿勢（図１２（ロ）の状態）との間で、軸芯Ｘ３周りで揺動可能に支持されている。そして、図９から図１１に示すように、第１ガイドアーム４２を前記第１姿勢に付勢するコイルスプリング４２ｓが設けられている。尚、第１ガイドアーム４２の被操作軸４２ｃは、コイルスプリング４２ｓの付勢力によって常に操作アーム５１の第１操作部５１ｂに向けて下向きに押付けられている。
【００３９】
ソレノイド４９に給電されると、操作アーム５１が前記リフト姿勢に操作され、操作アーム５１の第１操作部５１ｂが第１ガイドアーム４２の被操作軸４２ｃを上方に持ち上げることによって、第１ガイドアーム４２をコイルスプリング４２ｓの付勢力に抗して前記第２姿勢に切り換え操作する。ソレノイド４９への給電が解除されると、操作アーム５１が操作解除されて図１２（イ）の状態に復帰するので、第１ガイドアーム４２はコイルスプリング４２ｓの付勢力に基づいて前記第１姿勢に復帰する。
【００４０】
（第２ガイドアームの構造）
図８、図９および図１２に示すように、第２ガイドアーム４３は鋭角な断面形状を備えた先端部４３ａを有する。第２ガイドアーム４３の内面には、軸芯Ｘ４付近から先端部４３ａまで概して上方に延びた第１案内面４３ｂが形成されている。第１案内面４３ｂは、凹面状の断面形状を有し、写真フィルムＦの先端を下方側にスムースに案内する働きを有する。先端部４３ａからは、下流側に向かって水平に延びた第２案内面４３ｃが延びている。第２案内面４３ｃは平面状の断面形状を有し、写真フィルムＦの先端を排出口１０ｂ側へとスムースに案内する働きを有する。また、第２ガイドアーム４３の第２案内面４３ｃよりも下方の位置からは、被操作軸４３ｄが横向きに延びている。
【００４１】
第２ガイドアーム４３は、先端部４３ａが前記第２姿勢にある第１ガイドアーム４２の案内面４２ｂよりも径方向外側に退避した第１姿勢（図１２（イ）の状態）と、先端部４３ａが巻取りドラム４１の周面に突出形成された弾性ベルト４１ａの外周面よりも巻取りドラム４１の中心側に進入した第２姿勢（図１２（ロ）の状態）との間で、軸芯Ｘ４周りで揺動可能に支持されている。そして、第２ガイドアーム４３を前記第１姿勢に付勢するコイルスプリング４３ｓが設けられている。
【００４２】
第２ガイドアーム４３が第１姿勢にある時、写真フィルムＦの先端は、巻取りドラム４１に巻き取られるべく、第１案内面４３ｂに沿って下方に案内される。他方、第２ガイドアーム４３が第２姿勢にある時、写真フィルムＦの先端は、第２案内面４３ｃによって水平に案内され、巻取りドラム４１の上方を素通りして排出口１０ｂ側へと進む。尚、第２ガイドアーム４３の被操作軸４３ｄは、コイルスプリング４３ｓの付勢力によって常に操作アーム５１の第２操作部５１ｃに向けて下向きに押付けられている。
【００４３】
ソレノイド４９に給電されると、操作アーム５１がリフト姿勢に操作され、操作アーム５１の第２操作部５１ｃが第２ガイドアーム４３の被操作軸４３ｄを装入口１０ａ向きに揺動操作することによって、第２ガイドアーム４３をコイルスプリング４３ｓの付勢力に抗して前記第２姿勢に切り換え操作する。ソレノイド４９への給電に応じてこの操作アーム５１の第２操作部５１ｃが示す上方向きに近い運動を、操作アーム５１の第２操作部５１ｃのより水平に近い運動に変換する目的で、操作アーム５１の第２操作部５１ｃは、第２操作部５１ｃの摺動を許すスムースな面状に形成されている。ソレノイド４９への給電が解除されると、操作アーム５１は操作解除されて図１２（イ）の状態に復帰するので、第２ガイドアーム４３はコイルスプリング４３ｓの付勢力に基づいて前記第１姿勢に復帰する。
【００４４】
（保持アームの構造）
図８、図９および図１２に示すように、保持アーム４４の先端には、一対の遊転ローラ４４ａ，４４ａが支持されている。そして、保持アーム４４は、進入してきた写真フィルムの先端を遊転ローラ４４ａ，４４ａが巻取りドラム４１の周面に押付ける作用姿勢と、遊転ローラ４４ａ，４４ａが巻取りドラム４１から径方向外側に離間した非作用姿勢との間で、軸芯Ｘ５周りで揺動可能に支持されている。そして、保持アーム４４を前記作用姿勢に付勢するコイルスプリング４４ｓが設けられている。
【００４５】
保持アーム４４については、アクチュエータ機構と無関係に、常にコイルスプリング４４ｓからの付勢力で巻取りドラム４１の周面、または、巻取りドラム４１の周面上に巻き回された写真フィルムＦの最外周面に押付けられた状態に保持されている。図１１に示すように、保持アーム４４の下流側に面した内面には、軸芯Ｘ５付近から遊転ローラ４４ａ，４４ａ付近まで延びた案内面４４ｂが形成されている。案内面４４ｂは、下流側を向いた凹面状の断面形状を有し、写真フィルムＦの先端を、巻取りドラム４１の周面を形成している弾性ベルト４１ａと遊転ローラ４４ａ，４４ａの境界部へとスムースに案内する働きを有する。
【００４６】
以上の説明から理解されるように、アクチュエータ機構５０の操作アーム５１は、巻取りユニット４０の通過モードへの切り換えに際して、第１ガイドアーム４２をその第１姿勢から第２姿勢に切り換える操作と、第２ガイドアーム４３をその第１姿勢から第２姿勢に切り換える操作とを同時に行う。同様に、アクチュエータ機構５０の操作アーム５１は、巻取りユニット４０の巻き取りモードへの切り換えに際して、第１ガイドアーム４２をその第２姿勢から第１姿勢に戻す操作と、第２ガイドアーム４３をその第２姿勢から第１姿勢に切り換える操作とを同時に行うように構成されている。
【００４７】
ところで、ツーパス方式におけるプレスキャンでは、写真フィルムＦの種類と無関係に巻取りドラム４１はモータＭ１の回転力に基づいて巻き取り方向に駆動操作されるが、ツーパス方式における本スキャンでは、巻取りドラム４１はワンウェイクラッチ４１ｄの作用によってフリー回転されるので、巻き取られていた写真フィルムは抵抗無く引き出され、本スキャンで得られる高解像度の画像データにスキャン速度の変化に基づくノイズが生じ難いように構成されている。
【００４８】
他方、１３５写真フィルムＦ１の場合に、オペレータによってワンパス方式における唯一回のスキャン操作（本スキャン）が指示されると、巻取りユニット４０は自動的に図１２（ロ）に示す通過モードに切り換えられた上で、１３５写真フィルムＦ１のスキャニングが開始される。すなわち、通過モードでは、アクチュエータ機構５０の操作アーム５１の作用によって、第１ガイドアーム４２と第２ガイドアーム４３が同時に各第２姿勢に切り換えられている。したがって、スキャニングの進行に応じて下流側に送られて来る１３５写真フィルムＦ１の先端は、巻取りドラム４１の周面に押付けられることなく、第１ガイドアーム４２の遊転ローラ４２ａ，４２ａと巻取りドラム４１の間に形成された十分に大きな空隙部を、殆ど抵抗を受けること無く通過し、さらに、第２ガイドアーム４３の第２案内面４３ｃ上をスムースに案内されて、主搬送機構と等しい搬送速度で回転駆動される補助排出ローラ対Ｒ１ｅ，Ｒ１ｅに挟持され、排出口１０ｂからフィルムキャリア９外へと送り出される。したがって、入力部４１Ｂと巻取りドラム４１の間に介装されたフリクションクラッチ４１ｃの摩擦力が画像データに影響を与えない状態で、ワンパス方式による本スキャンが実施される。
【００４９】
（カートリッジ操作機構）
フィルムキャリア９には、専用のカートリッジＦＣ内に収納されている２４０フィルムＦ２をスキャニング処理するためのカートリッジ操作機構６０が設けられている。図３と図４に示すように、カートリッジ操作機構６０は、カートリッジＦＣを係止するためにデュアルレーンユニット３０の第２搬送レーンＦＬ２の上流側端部に設けられたポケット状のカートリッジホルダ６１と、カートリッジホルダ６１内に係止されたカートリッジＦＣのスプール軸ＦＣ１の端面内に係入するようにカートリッジホルダ６１の対向する一対の壁面６１ａ，６１ｂから内側に突出した１対のスピンドル６２ａ，６２ｂと、カートリッジＦＣの開口部を開閉する遮光扉ＦＣ２の被走査軸の端面内に係入するように奥側の壁面６１ａから内側に突出した扉操作軸６３と、手前側のスピンドル６２ｂと扉操作軸６３とを適宜のタイミングで必要な方向に回転駆動するためにデュアルレーンユニット３０の手前側の端部に固定されたモータＭ２とを有する。
【００５０】
カートリッジホルダ６１の奥側の壁面６１ａは、カートリッジＦＣの軸芯方向に沿って移動可能なブロック状部材６４に形成されている。ブロック状部材６４は、図４の双方向を向いた矢印が示すように、１対のスピンドル６２ａ，６２ｂ間の間隔がカートリッジＦＣの長さを超える開放位置と、１対のスピンドル６２ａ，６２ｂがカートリッジＦＣのスプール軸ＦＣ１の端面内に係入する係止位置との間で切り換え可能になっている。ブロック状部材６４の位置の切り換えは、フィルムキャリア９外に突出した第２操作ハンドルＨ２を介してオペレータの手動操作によって行われる。
【００５１】
デュアルレーンユニット３０を前記第１位置に切り換え、ブロック状部材６４を開放位置にした状態で２４０フィルムＦ２のカートリッジＦＣをカートリッジホルダ６１内に投入し、第２操作ハンドルＨ２によってブロック状部材６４を係止位置に切り換えると、自動的に、モータＭ２によって先ず扉操作軸６３が駆動されて、カートリッジＦＣの遮光扉ＦＣ２が開放され、次に、スピンドル６２ａが駆動されて、カートリッジＦＣの開口部から２４０フィルムＦ２が、第２搬送レーンＦＬ２に供給されるように構成されている。
尚、第２搬送レーンＦＬ２には、２４０フィルムＦ２の磁気トラック上に記録された磁気記録の内容を読み取る磁気トラックリーダ６６が配置されている。磁気記録の内容は、撮影に使用されたカメラから記録された撮影データや、前回のプリント処理を行ったプリント装置等から記録された露光条件に関しており、現在実施しようとしているプリント用の露光操作等に反映させることができる。
【００５２】
尚、ツーパス方式におけるプレスキャン時に、万一、例えば写真フィルムＦの先端が巻取りユニット４０の巻取りドラム４１の周面と保持アーム４４の間に係止されなかった場合には、巻取り不良が生じ、写真フィルムＦがドラム４１に円滑に巻き取られないまま、写真フィルムＦが上流側のフィルム搬送機構２０によって、巻取りドラム４１と第１ガイドアーム４２との間の収納空間内に引き続き押し込まれる結果、ループ状の写真フィルム部位が形成され、このループが漸次長大化する場合がある。しかし、第１ガイドアーム４２は、前述のように、軸芯Ｘ３周りで揺動可能に支持されているので、このループ状の写真フィルム部位によって、コイルスプリング４２ｓの付勢力に抗して上方に開かれ、ループ状の写真フィルム部位を前記収納空間の外部に開放することで、写真フィルムのジャミングを抑制する開放手段を構成している。
【００５３】
図１６（ロ）に示すように、排出口１０ｂ付近には、ワンパスモードにおいて固定排出ローラ対Ｒ１ｅ，Ｒ１ｅによって排出される写真フィルムの後端を検出可能なフィルムセンサ７０が設けられている。フィルムセンサ７０は、下側の固定排出ローラ対Ｒ１ｅの下流側に隣接したフィルムガイド面の部位上に上向きに配置された発光素子７０ａと、第２部位１０Ｇ（カバー部材）の下面に下向きに設置された受光素子７０ｂとからなる。フィルムセンサ７０によって写真フィルムの後端が検出されると、すなわち写真フィルムの排出が検出されると、写真処理装置（不図示）のモニタなどに「ネガ排出完了」などと表示され、オペレータの次の写真フィルムの装入を促す構成となっている。
【００５４】
また、図１６（イ）に示すように、フィルムセンサ７０は、ツーパスモードにて巻取りユニット４０で巻取り不良が生じた場合に、開放手段から外部に開放されたループ状の写真フィルム部位を検出する巻取り不良検出センサを兼ねている。このために、発光素子７０ａから受光素子７０ｂに向けて出射される光ビームが搬送レーンに対する垂線に対して大きく傾斜するように構成されている。すなわち、下方の発光素子７０ａは固定排出ローラ対Ｒ１ｅ，Ｒ１ｅよりも下流側に配置されているのに対して、上方の受光素子７０ｂは、固定排出ローラ対Ｒ１ｅ，Ｒ１ｅよりも上流側の、固定排出ローラ対Ｒ１ｅ，Ｒ１ｅと巻取りユニット４０との間の位置に配置されている。より具体的には、この実施形態では、下方の発光素子７０ａから上方の受光素子７０ｂに向けて出射される光ビームは、搬送レーンに対する垂線に対して約３０°だけ搬送方向の上流側に倒れるように傾斜し、搬送レーンの幅方向に沿った側面視において上方の固定排出ローラ対Ｒ１ｅの最外周面を横断する形態を採っている。
【００５５】
すなわち、図１６（イ）に示すように、ツーパスモードにて巻取りユニット４０の開放手段から外部に開放されたループ状の写真フィルム部位は、下方の発光素子７０ａから上方の受光素子７０ｂに向けて出射される光ビームを光ビームの上方領域で遮断するが、図１６（ロ）に示すように、ワンパスモードにおいて排出される写真フィルムの後端は光ビームの下方領域で遮断することになる。フィルムセンサ７０によってループ状の写真フィルム部位が検出された場合、前記写真処理装置（不図示）のモニタなどに「巻取り不良」などと表示され、オペレータの適切な処置を促す構成となっている。勿論、上記の構成と逆に、第２部位１０Ｇ（カバー部材）に発光素子７０ａを、下方に受光素子７０ｂを配置しても良い。
【００５６】
このように、単一のフィルムセンサ７０が、第１モードにおいて写真フィルムの排出を検出する排出センサと、第２モードにおいて巻き取り不良を検出する巻き取り不良検出センサとを兼ねているが、その検出アルゴリズムはモード毎に異なっている。
すなわち、第１モードにおいてフィルムセンサ７０を排出センサとして用いる場合は、受光素子７０ｂが受ける光量の変化パターン、すなわち、写真フィルムの先端が光ビームを遮断した時に見られる光量の減少（写真フィルムを透過することによる光量損失）と、それに続く、写真フィルムの後端が光ビームを抜け出る時に見られる光量の増大とで特徴付けられる変化パターンを判別することによって、写真フィルムの後端の通過を検出し、「ネガ排出完了」である旨をモニタなどに表示する。
他方、第２モードにおいてフィルムセンサ７０を巻き取り不良センサとして用いる場合は、受光素子７０ｂが受ける光量の減少側への変化自体（写真フィルム不在時の光量から、ループ状に開放された写真フィルム部位が光ビームを遮断し始めた時の光量への変化）をジャミングとして即刻検出し「巻き取り不良」である旨をモニタなどに表示する。
【００５７】
〔別実施形態〕
図１７に示すように、第１モードにおけるフィルムセンサと、第２モードにおける巻き取り不良検出センサとを兼ねたフィルムセンサ１７０を、本体上に写真フィルムの搬送方向に沿って離間配置された発光素子１７０ａ及び受光素子１７０ｂと、光センサ対の一方から出射される光を他方に反射すべくカバー部材に配置されたミラーなどの反射手段１７１とで構成しても良い。このように構成すれば、光ビームの通過位置を自由に設定可能となり、例えば図１７に示す例では、発光素子１７０ａから反射手段１７１に向かう第１ビームの通過位置を、排出されるフィルムの搬送方向に関してより上流側に配置できるので、図１２（ロ）の構成に比して、第２モードにおける巻き取り不良を更に早期に検出できる。
【図面の簡単な説明】
【００５８】
【図１】本発明のフィルムキャリアと共に用いられるスキャナ装置の外観斜視図
【図２】本発明の一実施形態としてのフィルムキャリアの外観斜視図
【図３】フィルムキャリアの内部を示す斜視図
【図４】フィルムキャリアの内部を示す平面図
【図５】フィルムキャリアの回転駆動系を主に示す平面図
【図６】フィルムキャリアのデュアルレーンユニットの動きを主に示す平面図
【図７】フィルムキャリアの巻取りユニットを示す斜視図
【図８】巻取りユニットの操作アームを含む要部を示す分解斜視図
【図９】巻取りユニットのコイルスプリングを含む分解斜視図
【図１０】巻取りユニットをソレノイドと共に示す平面図
【図１１】図１０の巻取りユニットの側面図
【図１２】巻取りユニットの２つのモードを写真フィルムと共に示す正面図
【図１３】フィルムキャリアの補助排出ローラ対の付近を示す斜視図
【図１４】１３５フィルムに実施される２つのスキャニング操作方法を示す正面図
【図１５】２４０フィルムに実施されるスキャニング操作方法を示す正面図
【図１６】フィルムセンサを示す概略側面図
【図１７】フィルムセンサの別実施形態を示す概略側面図
【符号の説明】
【００５９】
１  スキャナ装置
２  スキャナ本体
９  フィルムキャリア
１０  フィルムキャリア本体
１０ａ  装入口
１０ｂ  排出口
１０Ｕ  上側本体
１０Ｆ  第１部位
１０Ｇ  第２部位（カバー部材）
１０Ｌ  下側本体
３０  デュアルレーンユニット
４０  巻取りユニット
４２  第１ガイドアーム（開放手段）
７０  フィルムセンサ
７０ａ  発光素子
７０ｂ  受光素子
Ｆ１  １３５フィルム
Ｆ２  ２４０フィルム
ＦＬ１  第１搬送レーン
ＦＬ２  第２搬送レーン
ＳＰ  読取ポイント
Ｒ１ｅ，Ｒ１ｅ  補助排出ローラ対
【図１】
0004688608.tif 000002
【図２】
0004688608.tif 000003
【図３】
0004688608.tif 000004
【図４】
0004688608.tif 000005
【図５】
0004688608.tif 000006
【図６】
0004688608.tif 000007
【図７】
0004688608.tif 000008
【図８】
0004688608.tif 000009
【図９】
0004688608.tif 000010
【図１０】
0004688608.tif 000011
【図１１】
0004688608.tif 000012
【図１２】
0004688608.tif 000013
【図１３】
0004688608.tif 000014
【図１４】
0004688608.tif 000015
【図１５】
0004688608.tif 000016
【図１６】
0004688608.tif 000017
【図１７】
0004688608.tif 000018